(57)【要約】【課題】シークレットモードを解除する操作がいらない情報保秘機能を有する電話システムを提供する。【解決手段】主装置１と複数のボタン電話機２−１〜２−ｎから構成される電話システムにおいて、ボタン電話機２−１〜２−ｎは、無線通信により得たＩＤ情報を蓄積する１又は２以上の媒体３−１〜３−ｎのＩＤ情報を主装置１へ通知する手段を備え、主装置１は、ＩＤ情報を蓄積する１又は２以上の媒体の該ＩＤ情報を判定対象とするか否かを予め記憶しておく記憶手段と、ボタン電話機から通知されたＩＤ情報が記憶手段に記憶されているＩＤ情報であるか否かを判定し当該ＩＤ情報を蓄積する１又は２以上の媒体がボタン電話機の近傍に存在し且つ通知されたＩＤ情報が判定対象とされているＩＤ情報であると判定した場合にシークレットモードを自動的に解除するシークレットモード自動解除手段を備えたことを特徴とする。【選択図】図１
2011078126.tif 000002
【特許請求の範囲】
【請求項１】
主装置と複数のボタン電話機から構成される電話システムにおいて、前記ボタン電話機は、無線通信により得たＩＤ情報を蓄積する１又は２以上の媒体のＩＤ情報を主装置へ通知する手段を備え、前記主装置は、ＩＤ情報を蓄積する１又は２以上の媒体の該ＩＤ情報を判定対象とするか否かを予め記憶しておく記憶手段と、前記ボタン電話機から通知されたＩＤ情報が前記記憶手段に記憶されているＩＤ情報であるか否かを判定し当該ＩＤ情報を蓄積する１又は２以上の媒体が前記ボタン電話機の近傍に存在し且つ前記通知されたＩＤ情報が判定対象とされているＩＤ情報であると判定した場合にシークレットモードを自動的に解除するシークレットモード自動解除手段を備えたことを特徴とする情報保秘機能を有する電話システム。
【請求項２】
請求項１に記載の電話システムにおいて、前記ボタン電話機は、前記シークレットモードを手動で設定または解除の操作をする操作手段を備え、前記主装置は、該操作手段による操作を検出すると前記ＩＤ情報を蓄積する１又は２以上の媒体の存在に関係なく前記シークレットモードを設定または解除する設定または解除手段を備えたことを特徴とする情報保秘機能を有する電話システム。
【発明の詳細な説明】
【技術分野】
【０００１】
本発明は、電話システムに関し、特にボタン電話機の電話帳、発信履歴及び着信履歴等を他人に知られる（確認される）ことを防ぐ情報保秘機能を有する電話システムに関する。
【背景技術】
【０００２】
携帯電話に代表されるモバイル通信端末装置においては、他人の手に触れる可能性もあり、他の人に知られたくない電話帳や通信履歴を表示させないためにシークレットモードを設けて、シークレットモード時には表示させないものがある（例えば、特許文献１、特許文献２参照）。
【０００３】
また、最近はボタン電話機においても、電話帳を持っているものや、発信履歴や着信履歴等の通信履歴を残し、次回以降の発信操作を簡略化するための各種機能を持ったものが一般的となっている。
【先行技術文献】
【特許文献】
【０００４】
【特許文献１】特開２０００−３０７７０６号公報
【特許文献２】特開平１１−１１３０６２号公報
【発明の概要】
【発明が解決しようとする課題】
【０００５】
上記背景技術において、ボタン電話機は、一般的には机上等に据え置きしているため、外出時や休日などの離席時には他の人（社外の業者等も含む）が操作することが可能であり、電話帳や通話履歴などを他の人に知られてしまう可能性がある。
【０００６】
他人に知られたくない場合には、ボタン電話機をシークレットモードに設定しておく必要があるが、シークレットモードの状態では電話帳に登録された相手に電話をかける場合や、通信履歴を確認する場合には、自分で見る場合でも一旦シークレットモードを解除する必要がある。シークレットモードの解除操作は、簡単な操作では解除されない様に暗証番号の入力など複雑な操作を必要とし煩わしい。
【０００７】
また、一旦シークレットモードを解除した時に、再度シークレットモードにし忘れると、他の人に知られてしまう危険がある。
【０００８】
本発明の目的は、シークレットモードを解除する操作がいらない情報保秘機能を有する電話システムを提供することにある。
【課題を解決するための手段】
【０００９】
上記課題を解決するために、本発明は、主装置と複数のボタン電話機から構成される電話システムにおいて、前記ボタン電話機は、無線通信により得たＩＤ情報を蓄積する１又は２以上の媒体のＩＤ情報を主装置へ通知する手段を備え、前記主装置は、ＩＤ情報を蓄積する１又は２以上の媒体の該ＩＤ情報を判定対象とするか否かを予め記憶しておく記憶手段と、前記ボタン電話機から通知されたＩＤ情報が前記記憶手段に記憶されているＩＤ情報であるか否かを判定し当該ＩＤ情報を蓄積する１又は２以上の媒体が前記ボタン電話機の近傍に存在し且つ前記通知されたＩＤ情報が判定対象とされているＩＤ情報であると判定した場合にシークレットモードを自動的に解除するシークレットモード自動解除手段を備えたことを特徴とする。
【００１０】
また本発明は、上記記載の電話システムにおいて、前記ボタン電話機は、前記シークレットモードを手動で設定または解除の操作をする操作手段を備え、前記主装置は、該操作手段による操作を検出すると前記ＩＤ情報を蓄積する１又は２以上の媒体の存在に関係なく前記シークレットモードを設定または解除する設定または解除手段を備えたことを特徴とする。
【発明の効果】
【００１１】
本発明によれば、ＩＤ情報を蓄積する媒体がボタン電話機の近傍に存在し且つ通知されたＩＤ情報が判定対象とされているＩＤ情報であると判定した場合にシークレットモードを自動的に解除するので、シークレットモードを解除する操作がいらない情報保秘機能を有する電話システムを得ることができる。
【００１２】
また本発明によれば、ＩＤ情報を蓄積する１又は２以上の媒体の存在に関係なくシークレットモードを設定または解除することができる情報保秘機能を有する電話システムを得ることができる。
【図面の簡単な説明】
【００１３】
【図１】本発明による情報保秘機能を有する電話システムの第１及び第２の実施例の全体構成を示す図である。
【図２】図１における主装置と主装置に接続された複数のボタン電話機の内部構成を示す図である。
【図３】図１におけるＲＦＩＤタグを有する社員証の外観例及び構成を示す図である。
【図４Ａ】図１の記憶部の記憶情報テーブルに記憶された、ボタン電話機毎の対象／非対象及び存在状況を示す図で、その初期設定の例を示す図である。
【図４Ｂ】図１の記憶部の記憶情報テーブルに記憶された、ボタン電話機毎の対象／非対象及び存在状況を示す図で、ボタン電話機を扱う人が対象の組合せを設定した例を示す図である。
【図４Ｃ】図１の記憶部の記憶情報テーブルに記憶された、ボタン電話機毎の対象／非対象及び存在状況を示す図である。
【図５】本発明による情報保秘機能を有する電話システムの第１の実施例により、シークレットモードをオン及びオフする動作フローチャートを示す図である。
【図６】本発明による情報保秘機能を有する電話システムの第２の実施例により、ボタン電話機２−１のシークレットモードをオフする動作フローチャートを示す図である。
【図７】本発明による情報保秘機能を有する電話システムの第３の実施例により、シークレットモードをオンする動作フローチャートを示す図である。
【図８】本発明による情報保秘機能を有する電話システムの第４の実施例の全体構成を示す図である。
【図９】本発明による情報保秘機能を有する電話システムの第５の実施例の全体構成を示す図である。
【発明を実施するための形態】
【００１４】
以下、本発明による情報保秘機能を有する電話システムの実施例を添付図面に基づいて詳細に説明する。
【００１５】
図１は、本発明による情報保秘機能を有する電話システムの第１及び第２の実施例の全体構成を示す図である。図１において、電話システムは、１以上の外線および複数の内線を収容する主装置１と、主装置１と何らかの手段（有線接続、無線接続）により接続された複数のボタン電話機２−１〜２−ｎから構成される。
【００１６】
複数のボタン電話機２−１〜２−ｎの各ＲＦＩＤ（Radio Frequency Identification）エリア対象のＩＤ情報を蓄積する媒体の一例であるところの、社員証等に付加されたＲＦＩＤ（Radio Frequency Identification）タグ３−１〜３−ｎを所持している人が、対象ＲＦＩＤエリア内に居る場合には、シークレットモードは解除された状態にあり、ＲＦＩＤタグを所持した人が移動して対象ＲＦＩＤエリア外に出た場合には、シークレットモードが設定される。
【００１７】
図２は、図１における主装置１と主装置１に接続された複数のボタン電話機２−１〜２−ｎの内部構成を示す図である。
【００１８】
主装置１は、中央制御部１１と、通話路スイッチ１２と、１以上の外線回路１３−１〜１３−ｍと、複数の内線回路１４−１〜１４−ｎと、記憶部１５を有して構成される。
【００１９】
中央制御部１１は、主装置１の各回路からの入力情報（複数のボタン電話機２−１〜２−ｎからの情報も含む）に対する解析や判断、記憶部１５に対する情報の入出力、各回路の制御を行う。
【００２０】
通話路スイッチ１２は、主装置１内の交換処理（外線と内線の接続、他）を行う。
【００２１】
外線回路１３−１〜１３−ｍは、外線に接続されるインタフェース回路である。ここで言う外線は、一般公衆回線、ＩＰ電話事業者の回線、専用線、私設線、携帯等の無線使用回線（無線／有線変換アダプタ使用）等も含まれる。
【００２２】
内線回路１４−１〜１４−ｎは、ボタン電話機２−１〜２−ｎと音声データ、制御データの通信を行うためのインタフェース回路である。
【００２３】
記憶部１５は、通常の記憶部としての働きの他に、シークレットモードを切替えるためのＩＤ情報、ボタン情報、暗証番号が記憶される。
【００２４】
また、記憶部１５には本発明で保秘すべき電話帳、履歴、等の情報が記憶されるが、この情報は必ずしも主装置の記憶部でなくても良く、例えば、後で説明するボタン電話機２−１〜２−ｎに持つことも可能である。
【００２５】
また、ボタン電話機２−１〜２−ｎの各々は、制御部２１と、データ送受信回路２２と、音声処理部２３と、送受話器２４と、スピーカ２５と、入力回路２６と、表示回路２７と、ＲＦＩＤ（Radio Frequency Identification）リーダー／ライター２８を有して構成される。
【００２６】
制御部２１は、ボタン電話機内の各回路からの入力情報に対する解析や判断、各回路の制御を行う。
【００２７】
データ送受信回路２２は、内線回路１４−１〜１４−ｎを介して主装置１と音声データ、制御データの通信を行うためのインタフェース回路である。
【００２８】
音声処理部２３は、音声のデジタル／アナログ変換、アナログ／デジタル変換と、ボタン電話機内の送受話器２４やスピーカ２５等との通話路切替および音量を制御する。
【００２９】
送受話器２４は、一般的な通話時の送話、受話を行うためのハンドセットである。
【００３０】
スピーカ２５は、着信音の送出や、スピーカによる拡声受話に使用する。
【００３１】
入力回路２６は、ダイヤルキーや機能キーなどの各種情報入力手段である。
【００３２】
表示回路２７は、電話番号、通話時間等を表示する。
【００３３】
ＲＦＩＤリーダー／ライター２８は、ＲＦ信号を送出して、ＩＤ情報を蓄積する媒体の一例であるところの、社員証等に付加されたＲＦＩＤタグ３−１〜３−ｎ（図１）の内の該当ＲＦＩＤタグに電力を供給するとともに、該当ＲＦＩＤタグと各種情報の送受信を行う。
【００３４】
図３は、図１におけるＲＦＩＤタグ３−１〜３−ｎの外観例及び構成を示す図である。図３は、ＲＦＩＤタグを付加した社員証３の一例である。社員証３の内部にＲＦＩＤタグ３−１が付加され、ＲＦＩＤタグ３−１にはＩＤ情報の記憶部３−１１がある。
【００３５】
図３で示した社員証は一例であり社員証の他に、名札、携帯電話等の普段携帯する物でＲＦＩＤタグを付加できるものであれば同様の動作が可能である。
【００３６】
図４Ａは、図２の記憶部１５の記憶情報テーブルに記憶された、ボタン電話機毎の対象／非対象及び存在状況を示す図で、その初期設定の例を示す図である。
【００３７】
図４Ａにおいて、縦軸のＩＤ情報０００１〜ｎは、図１のＲＦＩＤタグ３−１〜３−ｎの各々の記憶部３−１１（図３）に記憶されている各ＲＦＩＤタグ固有のＩＤ情報を示し、各ＩＤ情報０００１〜ｎに対するボタン電話機２−１〜２−ｎの対象／非対象及び存在状況を示すエリア情報は、初期設定として全て“０”に設定する。
【００３８】
その後、ボタン電話機２−１〜２−ｎを扱う人は、ボタン電話機２−１〜２−ｎとＲＦＩＤタグ３−１〜３−ｎとの対象の組合せを設定し、対象の組合せを“１”に設定し、非対象の組合せを“０”のままとする。
【００３９】
図４Ｂは、図１の記憶部１５の記憶情報テーブルに記憶された、ボタン電話機毎の対象／非対象及び存在状況を示す図で、ボタン電話機２−１〜２−ｎを扱う人が対象の組合せを設定した例を示す図である。
【００４０】
図１においては、ボタン電話機２−１はＲＦＩＤタグ３−１を対象の組合せとし、ボタン電話機２−２はＲＦＩＤタグ３−２を対象の組合せとする。したがって、ＩＤ情報０００１に対するボタン電話機２−１のエリア情報を“１”に書き換えて設定し、ＩＤ情報０００２に対するボタン電話機２−２のエリア情報を“１”に書き換えて設定した。非対象の組合せは“０”のままである。
【００４１】
次に、本発明による情報保秘機能を有する電話システムの第１の実施例について説明する。
【００４２】
図５は、本発明による情報保秘機能を有する電話システムの第１の実施例により、シークレットモードをオン及びオフする動作フローチャートを示す図である。
【００４３】
図１におけるボタン電話機２−１〜２−ｎ、ＲＦＩＤタグ３−１〜３−ｎが図１の位置関係にあるとした場合、電話装置の主装置１は、中央制御部１１で、ＲＦＩＤタグ３−１〜３−ｎがボタン電話機２−１〜２−ｎの各ＲＦＩＤエリア内に存在するか否かを検出する検出タイミングか否かを判定し（Ｓ１０１）、検出タイミングの場合に全ボタン電話機２−１〜２−ｎに、主装置１の内線回路１４−１〜１４−ｎ（図２）からＩＤ要求を送信する（Ｓ１０２〜Ｓ１０３）。
【００４４】
尚、ボタン電話機２−１〜２−ｎへのＩＤ要求送出は、全てのボタン電話機２−１〜２−ｎに一斉に行っても、順番に行っても良い。
【００４５】
ＩＤ要求を受信（Ｓ２０１〜Ｓ３０１）したボタン電話機２−１〜２−ｎは、ＲＦＩＤリーダー／ライター２８からＲＦ信号を送出する（Ｓ２０２〜Ｓ３０２）。ＲＦＩＤエリア内にあるＲＦＩＤタグ３−１（図３）はＲＦ信号によりパワーが供給され動作を開始する。
【００４６】
このＲＦ信号にはコマンドが含まれ、ＲＦＩＤタグ３−１（図３）はそのコマンドを受け取ると、記憶部３−１１に記憶されたＩＤ情報を送信し、ボタン電話機２−１〜２−ｎのＲＦＩＤリーダー／ライター２８（図２）は、ＲＦＩＤタグ３−１（図３）から送信されたＩＤ情報を受信する（Ｓ２０３〜Ｓ３０３）。
【００４７】
ボタン電話機２−１〜２−ｎは、ＲＦＩＤタグ３−１（図３）からのデータ受信を制御部２１で一定時間監視してタイムオーバーしたかを判定し（Ｓ２０４〜Ｓ３０４）、タイムオーバーした場合にその時間内に受信したＩＤ情報をデータ送受信回路２２から主装置１に送信する（Ｓ２０５〜Ｓ３０５）。
【００４８】
主装置１は、ボタン電話機２−１〜２−ｎから受信したＩＤ情報を基に、中央制御部１１がボタン電話機毎の対象／非対象及び存在状況を、記憶部１５の記憶情報テーブルに記憶する（Ｓ１０４）。この場合に記憶されるデータの例は図４Ｃのようになる。
【００４９】
図４Ｃは、図１の記憶部１５の記憶情報テーブルに記憶された、ボタン電話機毎の対象／非対象及び存在状況を示す図である。
【００５０】
この場合、図１において、ＲＦＩＤタグ３−１のＩＤ情報が０００１で、ＲＦＩＤタグ３−２のＩＤ情報が０００２の場合である。
【００５１】
ＲＦＩＤタグ３−１が対象ボタン電話機２−１のＲＦＩＤエリアに存在している場合、主装置１は対象ボタン電話機２−１からＲＦＩＤタグ３−１のＩＤ情報０００１を受信するので、受信したＩＤ情報０００１を基に、図４ＣのＩＤ情報０００１に対するボタン電話機２−１のエリア情報“１”を“２”に書き換えて記憶した。
【００５２】
またＲＦＩＤタグ３−２が移動して対象ボタン電話機２−２のＲＦＩＤエリアから離れている場合は、ボタン電話機２−２はＲＦＩＤタグ３−２からのＩＤ情報０００２を受信できず、それにともない主装置１もＲＦＩＤタグ３−２からのＩＤ情報０００２を受信できないので、図４ＣのＩＤ情報０００２に対するボタン電話機２−２のエリア情報“１”はそのままとする。
【００５３】
またＲＦＩＤタグ３−２が非対象ボタン電話機２−１のＲＦＩＤエリアに移動すると、主装置１は非対象ボタン電話機２−１からＲＦＩＤタグ３−２のＩＤ情報０００２を受信するので、この場合、図４ＣのＩＤ情報０００２に対するボタン電話機２−１のエリア情報“０”を書き換えないで“０”のままとする。すなわち非対象のエリアはＲＦＩＤタグの状態に関係なく変化させない。
【００５４】
次に、主装置１１の中央制御部１１は、記憶部１５（図２）に記憶された、ボタン電話機毎の対象／非対象及び存在状況を示す記憶情報テーブルを参照し、あるボタン電話機にて全てのＩＤ情報のエリア番号が“２”以外かを判定し（図５のＳ１０５）、“２”以外の場合（Ｓ１０５のＹｅｓ）、シークレットモードをオンに設定し、記憶部１５に記憶する（Ｓ１０６）。
【００５５】
但し、全てのＩＤ情報に対して状態が“０”の場合には、本機能の対象外とし、シークレットモードのオン・オフは実施されない。
【００５６】
また、いずれか１つ以上のＩＤ情報に対して状態が“２”であった場合（Ｓ１０５のＮｏ）には、中央制御部１１はシークレットモードをオフに設定し、記憶部１５に記憶する（Ｓ１０７）。
【００５７】
次に、本発明による情報保秘機能を有する電話システムの第２の実施例について説明する。
この第２の実施例においては、第１の実施例と、以下に示すボタン操作によるシークレットモードをオン又はオフする組合わせであり、第１の実施例で説明した部分は以下の説明では省略及び簡略化する。
【００５８】
第１の実施例によれば、ＲＦＩＤエリア内にＲＦＩＤタグが無い場合には、シークレットモードはオンになり、電話帳や通話履歴を見ることはできない。しかしながら、ＲＦＩＤの付加された例えば社員証を偶然に家に置き忘れた様な場合には、ＲＦＩＤタグはＲＦＩＤエリア外にあるが、自分のボタン電話機を使用しなければならない。
【００５９】
その場合には、シークレットモードをオフにしたい人は、自分のボタン電話機例えば２−１の入力回路２６からシークレットモードをオフするための機能ボタンを押してから、予め設定されている暗証番号を入力する。ボタン電話機２−１の制御部２１は機能ボタン及び暗証番号が押されたことを認識し、データ送受信回路２２から主装置１へボタン情報を送信する。
【００６０】
この場合、ボタン電話機２−１は押されたキー情報のみを主装置１に送り、機能ボタン及び暗証番号の認識は主装置１で行っても良い。また、シークレットモードをオフする操作は、機能ボタンと暗証番号の組合わせでなく、ダイヤル操作等のその他の手段により行うことでも良い。
【００６１】
これ以降の動作を図６に示す。
【００６２】
図６は、本発明による情報保秘機能を有する電話システムの第２の実施例により、ボタン電話機２−１のシークレットモードをオフする動作フローチャートを示す図である。
【００６３】
図２における主装置１の中央制御部１１は内線回路１４−１を経由してボタン電話機２−１から送信されたボタン情報を受信する（Ｓ４０１）。受信したボタン情報を記憶部１５のボタン情報記憶エリアに記憶する（Ｓ４０２）。
【００６４】
次に、ボタン情報がシークレットモードをオフする機能ボタン＋暗証番号であったかを中央制御部１１が判定し（Ｓ４０３）、そうであった場合には、記憶部１５のボタン情報記憶エリアに“０”をセットする（Ｓ４０４）。
【００６５】
次に、記憶部１５のボタン情報記憶エリアが“０”以外かを中央制御部１１が判定し（Ｓ４０５）、“０”以外でない場合（Ｓ４０５のＮｏ）は、ＩＤ情報に関係なくシークレットモードをオフに設定し、記憶部１５に記憶する（Ｓ４０９）。
【００６６】
記憶部１５のボタン情報記憶エリアが“０”以外の場合（Ｓ４０５のＹｅｓ）は、記憶部１５のＩＤ情報記憶エリア（図４）のＩＤ情報を読み出し（Ｓ４０６）、ある電話機にて全てのＩＤ情報に対して状態が“２”以外かを中央制御部１１が判定し（Ｓ４０７）、“２”以外の場合（Ｓ４０７のＹｅｓ）には、中央制御部１１はシークレットモードをオンに設定し、記憶部１５に記憶する（Ｓ４０８）。
【００６７】
但し、全てのＩＤに対して状態が“０”の場合には、本機能の対象外とし、シークレットモードのオン・オフは実施されない。
【００６８】
また、いずれか１つ以上のＩＤ情報に対して状態が“２”であった場合には（Ｓ４０７のＮｏ）、中央制御部１１はシークレットモードをオフに設定し、記憶部１５に記憶する（Ｓ４０９）。
【００６９】
次に、本発明による情報保秘機能を有する電話システムの第３の実施例について説明する。
【００７０】
ボタン電話機２−１の操作によりシークレットモードをオンする場合には、シークレットモードをオンにしたい人は、図２におけるボタン電話機２−１の入力回路２６からシークレットモードをオンするための機能ボタンを押す。ボタン電話機２−１の制御部２１は機能ボタンが押されたことを認識し、データ送受信回路２２から主装置１へボタン情報を送信する。
【００７１】
この場合、ボタン電話機２−１は押されたキー情報のみを主装置１に送り、機能ボタンの認識は主装置１で行っても良い。また、シークレットモードをオンする操作は、機能ボタンでなく、ダイヤル操作等のその他の手段により行うことでも良い。
【００７２】
これ以降の動作を図７に示す。
【００７３】
図７は、本発明による情報保秘機能を有する電話システムの第３の実施例により、シークレットモードをオンする動作フローチャートを示す図である。
【００７４】
図２における主装置１の中央制御部１１は内線回路１４−１を経由してボタン電話機２−１から送信されたボタン情報を受信する（Ｓ５０１）。受信したボタン情報を記憶部１５のボタン情報記憶エリアに記憶する（Ｓ５０２）。
【００７５】
ボタン情報がシークレットモードをオンする機能ボタンであったかを中央制御部１１が判定し（Ｓ５０３）、そうであった場合には、記憶部１５のボタン情報記憶エリアに“０”以外をセットする（Ｓ５０４）。
【００７６】
次に、記憶部１５のボタン情報記憶エリアが０以外かを中央制御部１１が判定し（Ｓ５０５）、“０”以外でない場合（Ｓ５０５のＮｏ）は、ＩＤ情報に関係なくシークレットモードをオフに設定し、記憶部１５に記憶する（Ｓ５０９）。
【００７７】
記憶部１５のボタン情報記憶エリアが“０”以外の場合（Ｓ５０５のＹｅｓ）は、記憶部１５のＩＤ情報記憶エリア（図４）のＩＤ情報を読み出し（Ｓ５０６）、ある電話機にて全てのＩＤに対して状態が“２”以外かを中央制御部１１が判定し（Ｓ５０７）、“２”以外である場合には（Ｓ５０７のＹｅｓ）、中央制御部１１はシークレットモードをオンに設定し、記憶部１５に記憶する（Ｓ５０８）。
【００７８】
但し、全てのＩＤに対して状態が“０”の場合には、本機能の対象外とし、シークレットモードのオン・オフは実施されない。
【００７９】
また、いずれか１つ以上のＩＤ情報に対して状態が“２”であった場合には（Ｓ５０７のＮｏ）、中央制御部１１はシークレットモードをオフに設定し、記憶部１５に記憶する（Ｓ５０９）。
【００８０】
但し、使用する場所の状況により、いずれか１つ以上のＩＤ情報に対して状態が“２”であった場合でも、強制的にシークレットモードをオンするようにしても良い。
【００８１】
次に、本発明による情報保秘機能を有する電話システムの第４の実施例について説明する。
【００８２】
図８は、本発明による情報保秘機能を有する電話システムの第４の実施例の全体構成を示す図である。
【００８３】
第１、第２及び第３の実施例においては、図１に示すボタン電話機２−１〜２−ｎの１台１台に、図２に示すＲＦＩＤリーダー／ライターを配置したが、必ずしも全てのボタン電話機にある必要は無い。
【００８４】
図８においてはボタン電話機２−１と２−２を１つのグループとして、ボタン電話機２−１をＲＦＩＤリーダー／ライター付きのボタン電話機とし、ボタン電話機２−２をＲＦＩＤリーダー／ライターの付かないボタン電話機として、主装置１にてグループ管理を行うことにより、第１の実施例と同等の効果を得ることができる。
【００８５】
次に、本発明による情報保秘機能を有する電話システムの第５の実施例について説明する。
【００８６】
図９は、本発明による情報保秘機能を有する電話システムの第５の実施例の全体構成を示す図である。
【００８７】
第１、第２、第３及び第４の実施例においては、ＲＦＩＤリーダー／ライターをボタン電話機に配置したが、必ずしもボタン電話機にある必要はない。
【００８８】
主装置１、主装置１と何らかの手段（有線接続、無線接続）により接続されたボタン電話機２−１〜２−ｎ以外に、主装置１と何らかの手段（有線接続、無線接続）により接続された端末例えばＲＦＩＤリーダー／ライター端末２９−１〜２９−ｎを配置しても、ＲＦＩＤリーダー／ライター端末２９−１〜２９−ｎとボタン電話機２−１〜２−ｎの組合わせを予め主装置１に登録して置くことにより、第１、第２、第３及び第４の実施例と同等の効果を得ることができる。
【００８９】
また、この場合のＲＦＩＤリーダー／ライター端末２９−１〜２９−ｎとボタン電話機２−１〜２−ｎの組合わせは１対１でも良いし、複数のボタン電話機に対して１つのＲＦＩＤリーダー／ライターでも良い。
【００９０】
次に、本発明による情報保秘機能を有する電話システムの第６の実施例を説明する。但し、図及び動作フローチャートは省略する。
【００９１】
第１、第２、第３、第４及び第５の実施例においては、ボタン電話装置において実現しているが、必ずしもボタン電話装置である必要は無く、留守番機能付き電話機、ＦＡＸ付き電話機等の一般電話機等においても実現が可能である。
【００９２】
また、ＲＦＩＤタグには、電池を持つものと、電池を持たずにＲＦＩＤリーダー／ライターからのＲＦ信号によりパワーを得るものがあり、上記、第１、第２、第３、第４及び第５の実施例においては、電池を持たない例を記述しているが、何れの方式でも同様に可能である。
【００９３】
次に、本発明による情報保秘機能を有する電話システムの第７の実施例を説明する。但し、図及び動作フローチャートは省略する。
【００９４】
第１、第２、第３、第４、第５及び第６の実施例においては、使用者が居るか否かの確認にＲＦＩＤタグとＲＦＩＤリーダー／ライターを使用することにより実現しているが、必ずしもＲＦＩＤタグ及びＲＦＩＤリーダー／ライターを使用する必要は無く、ブルートゥース、省電力無線、微弱無線、無線ＬＡＮ等の無線方式を使用しても実現が可能である。
【００９５】
なお、以上の各実施例において、保秘する情報として、電話帳、発信履歴、着信履歴等を前提に説明しているが、本発明はこれに限るものではない。
【００９６】
すなわちボタン電話機が留守番機能やメール通信機能を具備している場合、留守番メッセージやメール送受信文書等のボタン電話機２−１〜２−ｎまたは主装置１に残留する情報一般に対して、本発明により情報を保秘可能である。
【００９７】
さらに転送等の各種設定情報を保秘可能であり、第３者による悪意の設定変更も防止できる。
【符号の説明】
【００９８】
１…主装置、２−１〜２−ｎ…ボタン電話機、３−１〜３−ｎ…ＲＦＩＤタグ、１１…中央制御部、１２…通話路スイッチ、１３−１〜１３−ｎ…外線回路、１４−１〜１４−ｎ…内線回路、１５…記憶部、２１…制御部、２２…データ送受信回路、２３…音声処理部、２４…送受話器、２５…スピーカ、２６…入力回路、２７…表示回路、２８…ＲＦＩＤリーダー／ライター、３…社員証、３−１１…記憶部、２９−１〜２９−ｎ…ＲＦＩＤリーダー／ライター端末。
【図１】
2011078126.tif 000003
【図２】
2011078126.tif 000004
【図３】
2011078126.tif 000005
【図４Ａ】
2011078126.tif 000006
【図４Ｂ】
2011078126.tif 000007
【図４Ｃ】
2011078126.tif 000008
【図５】
2011078126.tif 000009
【図６】
2011078126.tif 000010
【図７】
2011078126.tif 000011
【図８】
2011078126.tif 000012
【図９】
2011078126.tif 000013